(57)【要約】  道路を走行する車載通信機３からの無線信号を受信する路側通信機２と、路側通信機２による受信信号に含まれる車載通信機３の車両情報に基づいて、路側通信機２が無線信号を受信可能な受信可能エリアを複数の車載通信機３ごとに複数算出する第１算出部２１と、無線信号が路側通信機２に受信される確率を示す受信信頼度に対応して定まる信頼度エリアを、複数の受信可能エリアに基づいて算出する第２算出部２２と、前記道路に設置された交通信号機１の制御に用いる制御用情報を車両情報の中から特定するための特定エリアを、信頼度エリアに基づいて設定するエリア設定部２３と、を備えている。
2018078982.tif 000002
【特許請求の範囲】
【請求項１】
道路を走行する車載通信機からの無線信号を受信する受信部と、
前記受信部によって受信される受信信号に含まれる前記車載通信機の車両情報に基づいて、前記受信部が前記無線信号を受信可能な受信可能エリアを複数の前記車載通信機ごとに複数算出する第１算出部と、
前記無線信号が前記受信部に受信される確率を示す受信信頼度に対応して定まる信頼度エリアを、前記複数の受信可能エリアに基づいて算出する第２算出部と、
前記道路に設置された交通信号機の制御に用いる制御用情報を前記車両情報の中から特定するための特定エリアを、前記信頼度エリアに基づいて設定するエリア設定部と、
を備えている
エリア設定装置。
【請求項２】
前記信頼度エリアは、前記交通信号機の制御に必要な受信信頼度に対応している
請求項１に記載のエリア設定装置。
【請求項３】
前記第２算出部は、複数の前記受信信頼度に対応する複数の前記信頼度エリアを算出し、
前記エリア設定部は、複数の前記信頼度エリアの中から、前記交通信号機の制御に必要な受信信頼度の信頼度エリアを選択する
請求項２に記載のエリア設定装置。
【請求項４】
前記交通信号機は交差点に設置され、
前記第１算出部、前記第２算出部、及び前記エリア設定部は、前記交差点の方路ごとに、前記受信可能エリアの算出、前記信頼度エリアの算出、及び前記特定エリアの設定を行う
請求項１から請求項３のいずれか一項に記載のエリア設定装置。
【請求項５】
前記制御用情報は、前記交通信号機における待ち行列長を求めるために用いられる請求項１から請求項４のいずれか一項に記載のエリア設定装置。
【請求項６】
前記制御用情報は、前記交通信号機の感応制御に用いられる請求項１から請求項４のいずれか一項に記載のエリア設定装置。
【請求項７】
前記第１算出部は、前記受信信号が、前記道路に対して交差する交差路から前記道路に流入した流入車載通信機からの受信信号か否かを前記受信信号の車両情報に基づいて判定し、
前記受信信号が前記流入車載通信機からの受信信号であると判定する場合、当該受信信号の前記受信可能エリアの算出を中止する請求項１から請求項６のいずれか一項に記載のエリア設定装置。
【請求項８】
道路を走行する車載通信機からの無線信号を受信可能な路側通信機と、
前記路側通信機が前記無線信号を受信することで得られる受信信号に含まれる前記車載通信機の車両情報に基づいて、前記路側通信機が前記無線信号を受信可能な受信可能エリアを複数の前記車載通信機ごとに複数算出する第１算出部と、
前記無線信号が前記路側通信機に受信される確率を示す受信信頼度に対応して定まる信頼度エリアを、前記複数の受信可能エリアに基づいて算出する第２算出部と、
前記道路に設置された交通信号機の制御に用いる制御用情報を前記車両情報の中から特定するための特定エリアを前記信頼度エリアに基づいて設定するエリア設定部と、
を備えている
エリア設定システム。
【請求項９】
道路を走行する車載通信機からの無線信号を受信する受信部の受信信号に含まれる前記車載通信機の車両情報の中から、前記道路に設置された交通信号機の制御に用いる制御用情報を特定するための特定エリアを設定する方法であって、
前記車両情報に基づいて、前記受信部が前記無線信号を受信可能な受信可能エリアを複数の前記車載通信機ごとに複数算出する第１算出ステップと、
前記無線信号が前記受信部に受信される確率を示す受信信頼度に対応して定まる信頼度エリアを、前記複数の受信可能エリアに基づいて算出する第２算出ステップと、
前記特定エリアを、前記信頼度エリアに基づいて設定するエリア設定ステップと、
を含む、
エリア設定方法。
【請求項１０】
道路を走行する車載通信機からの無線信号を受信する受信部の受信信号に含まれる前記車載通信機の車両情報の中から、前記道路に設置された交通信号機の制御に用いる制御用情報を特定するための特定エリアを設定する処理をコンピュータに実行させるためのコンピュータプログラムであって、
コンピュータに、
前記車両情報に基づいて、前記受信部が前記無線信号を受信可能な受信可能エリアを複数の前記車載通信機ごとに複数算出する第１算出ステップと、
前記無線信号が前記受信部に受信される確率を示す受信信頼度に対応して定まる信頼度エリアを、前記複数の受信可能エリアに基づいて算出する第２算出ステップと、
前記特定エリアを、前記信頼度エリアに基づいて設定するエリア設定ステップと、
を実行させるためのコンピュータプログラム。
【請求項１１】
道路を走行する車載通信機からの無線信号を受信する受信部と、
前記受信部によって受信される受信信号に含まれる前記車載通信機の車両情報に基づいて、前記受信部が前記無線信号を受信可能な受信可能エリアを複数の前記車載通信機ごとに複数算出する第１算出部と、
前記道路に設置された交通信号機の制御に用いる制御用情報を前記車両情報の中から特定するための特定エリアを、前記複数の受信可能エリアに基づいて設定するエリア設定部と、
を備えている
エリア設定装置。
【発明の詳細な説明】
【技術分野】
【０００１】
本発明は、エリア設定装置、エリア設定システム、エリア設定方法、及びコンピュータプログラムに関する。
本出願は、２０１６年１０月２８日出願の日本出願第２０１６−２１１８３２号に基づく優先権を主張し、前記日本出願に記載された全ての記載内容を援用するものである。
【背景技術】
【０００２】
近年、路車間通信、車車間通信による高度道路交通システム（ＩＴＳ）が検討されている（例えば、非特許文献１参照）。
路車間通信とは、路側通信機と車載通信機（移動通信機）との間の通信であり、車車間通信とは、車載通信機（移動通信機）間の通信である。
【先行技術文献】
【特許文献】
【０００３】
【特許文献１】特開平０８−２２８５号公報
【発明の概要】
【課題を解決するための手段】
【０００４】
一実施形態であるエリア設定装置は、道路を走行する車載通信機からの無線信号を受信する受信部と、前記受信部によって受信される受信信号に含まれる前記車載通信機の車両情報に基づいて、前記受信部が前記無線信号を受信可能な受信可能エリアを複数の前記車載通信機ごとに複数算出する第１算出部と、前記無線信号が前記受信部に受信される確率を示す受信信頼度に対応して定まる信頼度エリアを、前記複数の受信可能エリアに基づいて算出する第２算出部と、前記道路に設置された交通信号機の制御に用いる制御用情報を前記車両情報の中から特定するための特定エリアを、前記信頼度エリアに基づいて設定するエリア設定部と、を備えている。【０００５】
また、一実施形態であるエリア設定システムは、道路を走行する車載通信機からの無線信号を受信可能な路側通信機と、前記路側通信機が前記無線信号を受信することで得られる受信信号に含まれる前記車載通信機の車両情報に基づいて、前記路側通信機が前記無線信号を受信可能な受信可能エリアを複数の前記車載通信機ごとに複数算出する第１算出部と、前記無線信号が前記路側通信機に受信される確率を示す受信信頼度に対応して定まる信頼度エリアを、前記複数の受信可能エリアに基づいて算出する第２算出部と、前記道路に設置された交通信号機の制御に用いる制御用情報を前記車両情報の中から特定するための特定エリアを前記信頼度エリアに基づいて設定するエリア設定部と、を備えている。【０００６】
一実施形態であるエリア設定方法は、道路を走行する車載通信機からの無線信号を受信する受信部の受信信号に含まれる前記車載通信機の車両情報の中から、前記道路に設置された交通信号機の制御に用いる制御用情報を特定するための特定エリアを設定する方法であって、前記車両情報に基づいて、前記受信部が前記無線信号を受信可能な受信可能エリアを複数の前記車載通信機ごとに複数算出する第１算出ステップと、前記無線信号が前記受信部に受信される確率を示す受信信頼度に対応して定まる信頼度エリアを、前記複数の受信可能エリアに基づいて算出する第２算出ステップと、前記特定エリアを、前記信頼度エリアに基づいて設定するエリア設定ステップと、を含む。【０００７】
また、一実施形態であるコンピュータプログラムは、道路を走行する車載通信機からの無線信号を受信する受信部の受信信号に含まれる前記車載通信機の車両情報の中から、前記道路に設置された交通信号機の制御に用いる制御用情報を特定するための特定エリアを設定する処理をコンピュータに実行させるためのコンピュータプログラムであって、コンピュータに、前記車両情報に基づいて、前記受信部が前記無線信号を受信可能な受信可能エリアを複数の前記車載通信機ごとに複数算出する第１算出ステップと、前記無線信号が前記受信部に受信される確率を示す受信信頼度に対応して定まる信頼度エリアを、前記複数の受信可能エリアに基づいて算出する第２算出ステップと、前記特定エリアを、前記信頼度エリアに基づいて設定するエリア設定ステップと、を実行させるためのコンピュータプログラムである。【０００８】
また、一実施形態であるエリア設定装置は、道路を走行する車載通信機からの無線信号を受信する受信部と、前記受信部によって受信される受信信号に含まれる前記車載通信機の車両情報に基づいて、前記受信部が前記無線信号を受信可能な受信可能エリアを複数の前記車載通信機ごとに複数算出する第１算出部と、前記道路に設置された交通信号機の制御に用いる制御用情報を前記車両情報の中から特定するための特定エリアを、前記複数の受信可能エリアに基づいて設定するエリア設定部と、を備えている。
【図面の簡単な説明】
【０００９】
【図１】図１は、実施形態に係る高度道路交通システム（ＩＴＳ）の全体構成を示す概略斜視図である。
【図２】図２は、本無線通信システムにて用いられる無線フレーム、及び各通信機の送信禁止期間等の一例を示す図である。
【図３】図３は、本実施形態に係る路側通信機、車載通信機、中央装置、及び交通信号制御機の構成を示すブロック図である。
【図４】図４は、図１中、交差点周辺の拡大図である。
【図５】図５は、受信可能エリアの算出処理の一例を示すフローチャートである。
【図６】図６は、道路上の車載通信機が送信する車両情報の受信状況の一例を示す図である。
【図７】図７は、受信可能エリアテーブルの一例を示す図である。
【図８】図８は、図６中、脇道車両判定の処理の一例を示すフローチャートである。
【図９】図９は、信頼度エリアの算出処理の一例を示すフローチャートである。
【図１０】図１０は、受信可能エリア端距離についての累積度数分布の一例を示す図である。
【図１１】図１１は、行列長演算部が行う待ち行列長を求める処理を説明するための図である。
【図１２】図１２は、感応制御処理部が行う交通量の算出処理を説明するための図である。
【図１３】図１３は、他の実施形態に係る路側通信機、車載通信機、中央装置、及び交通信号制御機の構成を示すブロック図である。
【図１４】図１４は、路側通信機を、交通信号機が設置された交差点から離れた位置に設置したときの一例を示す図である。
【発明を実施するための形態】
【００１０】
［本開示が解決しようとする課題］
上記システムにおいて、路側通信機は、道路上の所定の各地点に設置され、車載通信機に対して無線送信を行うことによって情報提供等のサービスを実行し、安全運転支援を行う。
一方、車載通信機は、路側通信機からのサービスの他、車車間通信によって、自機の位置情報や速度情報といった車両情報を他の車載通信機に提供したり、他の車載通信機の車両情報を取得することで、安全運転支援を行う。
【００１１】
路側通信機は、車載通信機が送信する無線信号を受信し、受信した無線信号に含まれる車載通信機の車両情報を取得することができる。
ここで、路側通信機が受信した車載通信機からの無線信号に含まれる当該車載通信機の車両情報を、交通信号機の制御に利用することが考えられる。
【００１２】
しかし、路側通信機が車載通信機からの無線信号を受信可能な受信可能エリアは、当該路側通信機と車載通信機との間の伝送路環境や装置の経年変化等の他、車載通信機の個体差による送信出力差等によって異なることがある。
【００１３】
交通信号機の制御においては、例えば、当該交通信号機周辺の交通に関する情報が必要な場合や、当該交通信号機から所定距離だけ上流の所定位置を通過する車両の中の所定割合の車両に関する車両情報が必要な場合がある。
これに対し、車載通信機ごとに受信可能エリアにばらつきがあると、ある車載通信機の無線信号は受信でき車両情報を受け取ることができるが同じ地点に位置する他の車載通信機の無線信号は受信できず車両情報を受け取ることができないことがある。
【００１４】
このように、車載通信機ごとに受信可能エリアにばらつきがあると、所定位置において車載通信機からの無線信号を一定の確率で受信できないことから安定して車両情報を取得できず、取得した車両情報を交通信号機の制御に適切に利用できないおそれがある。
つまり、各車載通信機から取得した車両情報を全て利用しようとすると、車載通信機ごとに受信可能エリアにばらつきがあるため、交通信号機の制御のための情報として適切に利用できないおそれがある。
このため、取得した車両情報の中から、交通信号機の制御用の情報として適切に利用できる情報を特定するためのエリアを設定することが望まれる。
【００１５】
本開示はこのような事情に鑑みてなされたものであり、交通信号機の制御用の情報として適切に利用できる情報を特定するためのエリアを設定する技術を提供することを目的とする。
【００１６】
［本開示の効果］
本開示によれば、交通信号機の制御用の情報として適切に利用できる情報を特定するためのエリアを設定することができる。
【００１７】
［実施形態の説明］
最初に実施形態の内容を列記して説明する。
（１）一実施形態であるエリア設定装置は、道路を走行する車載通信機からの無線信号を受信する受信部と、前記受信部によって受信される受信信号に含まれる前記車載通信機の車両情報に基づいて、前記受信部が前記無線信号を受信可能な受信可能エリアを複数の前記車載通信機ごとに複数算出する第１算出部と、前記無線信号が前記受信部に受信される確率を示す受信信頼度に対応して定まる信頼度エリアを、前記複数の受信可能エリアに基づいて算出する第２算出部と、前記道路に設置された交通信号機の制御に用いる制御用情報を前記車両情報の中から特定するための特定エリアを、前記信頼度エリアに基づいて設定するエリア設定部と、を備えている。
【００１８】
上記構成によれば、交通信号機の制御に応じた受信信頼度とされた信頼度エリアに基づいて特定エリアを設定することができる。よって、複数の受信可能エリアにばらつきが生じたとしても、特定エリアによって、受信部が受信した車両情報の中から、交通信号機の制御に応じた一定の受信確率で受信され、交通信号機の制御用情報として適切に利用可能な車両情報を特定することができる。
このように、本実施形態によれば、特定エリアを、交通信号機の制御用情報として適切に利用可能な車両情報を特定することができるエリアとして設定することができる。
【００１９】
（２）また、前記エリア設定部は、前記信頼度エリアは、前記交通信号機の制御に必要な受信信頼度に対応していることが好ましい。この場合、特定エリアを、交通信号機の制御用情報としてより適切に利用可能な車両情報を特定することができるエリアとして設定することができる。
【００２０】
（３）また、前記第２算出部は、複数の前記受信信頼度に対応する複数の前記信頼度エリアを算出し、前記エリア設定部は、複数の前記信頼度エリアの中から、前記交通信号機の制御に必要な受信信頼度の信頼度エリアを選択してもよい。この場合、特定エリアの設定が容易となる。
【００２１】
（４）上記エリア設定装置において、前記交通信号機は交差点に設置され、前記第１算出部、前記第２算出部、及び前記エリア設定部は、前記交差点の方路ごとに、前記受信可能エリアの算出、前記信頼度エリアの算出、及び前記特定エリアの設定を行うことが好ましい。
この場合、交差点の方路それぞれに対して特定エリアを設定することができる。
【００２２】
（５）また、上記エリア設定装置において、前記制御用情報は、前記交通信号機における待ち行列長を求めるために用いられるものであってもよい。
（６）また前記制御用情報は、前記交通信号機の感応制御に用いられるものであってもよい。
【００２３】
（７）また、上記エリア設定装置において、前記第１算出部は、前記受信信号が、前記道路に対して交差する交差路から前記道路に流入した流入車載通信機からの受信信号か否かを前記受信信号の車両情報に基づいて判定し、前記受信信号が前記流入車載通信機からの受信信号であると判定する場合、当該受信信号の前記受信可能エリアの算出を中止するものであってもよい。
この場合、交差路から流入する流入車載通信機については、特定エリアの設定に際して排除できる。
【００２４】
（８）一実施形態であるエリア設定システムは、道路を走行する車載通信機からの無線信号を受信可能な路側通信機と、前記路側通信機が前記無線信号を受信することで得られる受信信号に含まれる前記車載通信機の車両情報に基づいて、前記路側通信機が前記無線信号を受信可能な受信可能エリアを複数の前記車載通信機ごとに複数算出する第１算出部と、前記無線信号が前記路側通信機に受信される確率を示す受信信頼度に対応して定まる信頼度エリアを、前記複数の受信可能エリアに基づいて算出する第２算出部と、前記道路に設置された交通信号機の制御に用いる制御用情報を前記車両情報の中から特定するための特定エリアを前記信頼度エリアに基づいて設定するエリア設定部と、を備えている。
【００２５】
（９）また、一実施形態であるエリア設定方法は、道路を走行する車載通信機からの無線信号を受信する受信部の受信信号に含まれる前記車載通信機の車両情報の中から、前記道路に設置された交通信号機の制御に用いる制御用情報を特定するための特定エリアを設定する方法であって、前記車両情報に基づいて、前記受信部が前記無線信号を受信可能な受信可能エリアを複数の前記車載通信機ごとに複数算出する第１算出ステップと、前記無線信号が前記受信部に受信される確率を示す受信信頼度に対応して定まる信頼度エリアを、前記複数の受信可能エリアに基づいて算出する第２算出ステップと、前記特定エリアを、前記信頼度エリアに基づいて設定するエリア設定ステップと、を含む。
【００２６】
（１０）また、一実施形態であるコンピュータプログラムは、道路を走行する車載通信機からの無線信号を受信する受信部の受信信号に含まれる前記車載通信機の車両情報の中から、前記道路に設置された交通信号機の制御に用いる制御用情報を特定するための特定エリアを設定する処理をコンピュータに実行させるためのコンピュータプログラムであって、コンピュータに、前記車両情報に基づいて、前記受信部が前記無線信号を受信可能な受信可能エリアを複数の前記車載通信機ごとに複数算出する第１算出ステップと、前記無線信号が前記受信部に受信される確率を示す受信信頼度に対応して定まる信頼度エリアを、前記複数の受信可能エリアに基づいて算出する第２算出ステップと、前記特定エリアを、前記信頼度エリアに基づいて設定するエリア設定ステップと、を実行させるためのコンピュータプログラムである。
【００２７】
（１１）また、一実施形態であるエリア設定装置は、道路を走行する車載通信機からの無線信号を受信する受信部と、前記受信部によって受信される受信信号に含まれる前記車載通信機の車両情報に基づいて、前記受信部が前記無線信号を受信可能な受信可能エリアを複数の前記車載通信機ごとに複数算出する第１算出部と、前記道路に設置された交通信号機の制御に用いる制御用情報を前記車両情報の中から特定するための特定エリアを、前記複数の受信可能エリアに基づいて設定するエリア設定部と、を備えている。
【００２８】
［実施形態の詳細］
以下、好ましい実施形態について図面を参照しつつ説明する。
なお、以下に記載する各実施形態の少なくとも一部を任意に組み合わせてもよい。
〔システムの全体構成について〕
図１は、実施形態に係る高度道路交通システム（ＩＴＳ）の全体構成を示す概略斜視図である。なお、本実施形態では、道路構造の一例として、南北方向と東西方向の複数の道路が互いに交差した碁盤目構造を想定している。
図１に示すように、本実施形態の高度道路交通システムは、交通信号機１、交通信号制御機１０、路側通信機２、車載通信機（移動通信機）３、中央装置４、車載通信機３を搭載した車両５、及び、車両感知器や監視カメラ等よりなる路側センサ６を含む。
【００２９】
交通信号機１、交通信号制御機１０、及び路側通信機２は、複数の交差点Ｊ１〜Ｊ１２のそれぞれに設置されており、電話回線等の有線による通信回線７を介してルータ８に接続されている。このルータ８は交通管制センター内の中央装置４に接続されている。
中央装置４は、自身が管轄するエリアの交通信号機１、交通信号制御機１０、及び路側通信機２とＬＡＮ（Ｌｏｃａｌ  Ａｒｅａ  Ｎｅｔｗｏｒｋ）を構成している。よって、中央装置４と各交通信号制御機１０との間、中央装置４と各路側通信機２との間、及び、各交通信号制御機１０と各路側通信機２との間において双方向通信が可能である。
なお、中央装置４は、交通管制センターではなく道路上に設置してもよい。
【００３０】
路側センサ６は、各交差点に流入もしくは流出する車両台数をカウントする等の目的で、管轄エリア内の道路の各所に設置されている。この路側センサ６は、直下を通行する車両５を超音波感知する車両感知器、或いは、道路の交通状況を時系列に撮影する監視カメラ等よりなる。路側センサ６による感知情報や画像データは通信回線７を介して中央装置４に送信される。
なお、図１では、図示を簡略化するために、各交差点に信号灯器が１つだけ描写されているが、実際の各交差点には、互いに交差する道路の上り及び下り用として少なくとも４つの信号灯器が設置されている。
【００３１】
高度道路交通システムにおいて、無線通信システムを構成する、複数の交差点それぞれに設置された複数の路側通信機２は、その周囲を走行する車両の車載通信機３との間で無線通信（路車間通信）が可能である。
また、各路側通信機２は、自己の送信波が到達する所定範囲内に位置する他の路側通信機２とも無線通信（路路間通信）が可能である。
また、同じく無線通信システムを構成する車載通信機３は、キャリアセンス方式で路側通信機２との間で無線通信（車路間通信）を行うとともに、他の車載通信機３と無線通信（車車間通信）が可能である。
【００３２】
なお、路路間通信とは、路側通信機２同士の間で行われる通信であり、一の路側通信機２が他の路側通信機２に向けて通信パケットを送信することによって行われる。
また、路車間通信とは、路側通信機２と車載通信機３との間で行われる通信であり、路側通信機２が車載通信機３に向けて通信パケット（路車間通信情報）をブロードキャスト送信することによって行われる。
また、車車間通信とは、車載通信機３同士で行われる通信であり、キャリアセンス方式によって通信パケット（車車間通信情報）を送信することによって行われる。
また、車路間通信とは、車載通信機３と路側通信機２との間で行われる通信であり、車載通信機３が路側通信機２に向けてキャリアセンス方式で通信パケット（車路間通信情報）を送信することによって行われる。
【００３３】
本システムにおいては、路車間通信をはじめ、車車間通信や、路側通信機同士の通信である路路間通信等、各通信の共存を図るに当たって、通信を行う時間を分割して路側通信機の送信専用のタイムスロットを設ける、時分割多重（ＴＤＭＡ：Ｔｉｍｅ  Ｄｉｖｉｓｉｏｎ  Ｍｕｌｔｉｐｌｅ  Ａｃｃｅｓｓ）によるマルチアクセス方式を採用している。
【００３４】
上記ＴＤＭＡによるマルチアクセス方式において、送信用タイムスロットは、通常、各路側通信機それぞれに対して周期的に設定される。各路側通信機は、周期的に設定された自路側通信機の送信用タイムスロットを用いて送信を行い、それ以外の時間は、他の路側通信機又は車載通信機からの送信信号の受信を行う。
【００３５】
図２は、本無線通信システムにて用いられる無線フレーム、及び各通信機の送信禁止期間等の一例を示す図であり、図２中の（ａ）は、本無線通信システムにて用いられる無線フレームを示す図である。
図２中の（ａ）に示すように、無線フレーム（スーパーフレーム）は、その時間軸方向の長さ（フレーム長）が１００ミリ秒に設定されている。また、無線フレームは、時間軸方向に並べて配置されている。つまり、無線フレームは、１秒間に１０フレーム配置される。
【００３６】
一つの無線フレームには、複数のタイムスロット１２が含まれている。
タイムスロット１２は、路側通信機２に割り当てられる通信用のタイムスロット（路側機通信期間）であり、タイムスロット１２のいずれかに送信期間が割り当てられている路側通信機２は、その割り当てられているタイムスロット１２内に、当該路側通信機２が無線送信する送信期間を設定する。タイムスロット１２は、一つの無線フレーム（１００ミリ秒）内に最大１６個まで設定可能である。
【００３７】
タイムスロット１２には、それぞれスロット番号（路車間通信期間番号）ｎ（＝１〜１６）が付されている。路側通信機２は、スロット番号ｎによっていずれのタイムスロット１２が自路側通信機２に割り当てられるかを認識することができる。
路側通信機２に割り当てられているタイムスロット１２以外の期間は、車載通信機３によるキャリアセンス方式の無線送信用として開放する期間である。このため、路側通信機２に割り当てられているタイムスロット１２以外の期間では、路側通信機２による無線送信は行われない。
【００３８】
無線フレームに含まれる複数のタイムスロット１２の内、一つまたは複数のタイムスロット１２が路側通信機２に割り当てられる。路側通信機２は、自機２に割り当てられているタイムスロット１２以外の期間では送信が禁止される。
図２中の（ｂ）は、無線フレームに従って設定される路側通信機２の送信期間及び送信禁止期間の一例を示す図である。図２中の（ｂ）では、路側通信機２にｎ＝４の１つのタイムスロット１２が割り当てられている場合の送信禁止期間を示している。路側通信機２は、送信禁止期間以外の期間（送信期間）で無線送信を行う。
【００３９】
複数のタイムスロット１２は、互いに隣接する路側通信機２同士の間で干渉が生じないように、各路側通信機２に割り当てられる。
各路側通信機２は、割り当てられたタイムスロット１２で定まる送信期間で無線送信を行う。
路側通信機２は、自路側通信機２のアプリケーションが生成したアプリケーションデータをパケット化し、アプリケーションデータが格納されたパケットを自路側通信機２に割り当てられたタイムスロット１２（送信期間）にて送信する。
【００４０】
なお、路側通信機２は、送信禁止期間においては、車車間通信による無線信号を傍受するとともに、他の路側通信機２が送信する路車間通信パケット及び路路間通信パケットを受信する。
【００４１】
図２中の（ｃ）は、車載通信機３の送信禁止期間の一例を示す図である。図２中の（ｃ）では、全てのタイムスロット１２がいずれかの路側通信機２に割り当てられている場合の送信禁止期間を示している。
上述のように、路側通信機２に割り当てられているタイムスロット１２以外の期間が、車載通信機３によるキャリアセンス方式の無線送信用として割り当てられる。つまり、全てのタイムスロット１２が路側通信機２に割り当てられている図２中の（ｃ）の場合、各タイムスロット１２に対応する期間が送信禁止期間となっている。
車載通信機３は、これら送信禁止期間以外の期間において、キャリアセンス方式で無線送信を行う。
【００４２】
また、車載通信機３は、少なくとも、１無線フレームの期間内に１回は無線送信を試みる。よって、コリジョンが発生しなければ、車載通信機３は少なくとも１無線フレーム（１００ミリ秒）ごとに１回は無線送信を行う。
【００４３】
なお、上述したように、路側通信機２に割り当てられているタイムスロット１２以外の期間が車載通信機３の無線送信用の期間として割り当てられるので、タイムスロット１２の内、いずれの路側通信機２にも割り当てられず、使用されていないタイムスロット１２があれば、その期間については車載通信機３の無線送信に割り当てられる。
【００４４】
〔各装置の構成について〕
図３は、本実施形態に係る路側通信機２、車載通信機３、中央装置４、及び交通信号制御機１０の構成を示すブロック図である。
路側通信機２は、図３に示すように、無線通信のためのアンテナ１５が接続された無線通信部１６と、通信回線７を介した有線通信を行うための有線通信部１７と、通信制御や各種処理を行う処理装置１８とを備えている。
処理装置１８は、無線通信部１６及び有線通信部１７を制御し、無線通信及び有線通信の通信に関する処理を行う機能を有している。これにより処理装置１８は、路車間通信や、路路間通信を行うとともに、通信回線７を介して中央装置４及び交通信号制御機１０との間で有線通信を行う。
【００４５】
また、処理装置１８は、後述する受信可能エリア、信頼度エリア、及び特定エリアを求めたり、車載通信機３からの車両情報の内、交通信号機１の制御に用いる情報を特定するための処理を行う機能部として、第１算出部２１、第２算出部２２、エリア設定部２３、及び特定部２４を備えている。これらの機能については後に説明する。
【００４６】
車載通信機３は、無線通信のためのアンテナ２７が接続された無線通信部２８と、処理装置２９とを備えている。
処理装置２９は、無線通信部２８を制御し、無線通信に関する処理を行う機能を有している。これにより処理装置２９は、車車間通信や路車間通信を行う。
また、処理装置２９は、自機の車両ＩＤや、位置情報、車速情報、方位情報といった車両情報を通信パケットに格納し、無線通信部２８に無線送信させる送信部３０を備えている。
【００４７】
なお、車両ＩＤは、車載通信機３（車両５）を特定するための識別情報である。
位置情報は、通信パケットが生成されるときの車載通信機３の位置を示す情報であり、緯度や経度によって表される。
また、車速情報は、通信パケットが生成されるときの車両５の速度を示す情報であり、方位情報は、通信パケットが生成されるときの車両５の進行方向を示す情報である。
【００４８】
中央装置４は、通信回線７を介した有線通信を行うための有線通信部３５と、通信制御や各種処理を行う処理装置３６とを備えている。
処理装置３６は、有線通信部３５を制御し、有線通信の通信に関する処理を行う機能を有している。これにより処理装置３６は、通信回線７を介して路側通信機２及び交通信号制御機１０との間で有線通信を行う。
【００４９】
また、処理装置３６は、交通信号機１の制御に関する処理を行う機能部として、行列長演算部４１と、感応制御処理部４２とを備えている。これらの機能については後に説明する。
【００５０】
信号制御機１０は、通信回線７を介した有線通信を行うための有線通信部４６と、通信制御や各種処理を行う処理装置４７とを備えている。
処理装置４７は、有線通信部４６を制御し、有線通信の通信に関する処理を行う機能を有している。これにより処理装置４７は、通信回線７を介して路側通信機２及び交通信号制御機１０との間で有線通信を行う。
また、有線通信部４６には、交通信号機１が接続されており、信号制御機１０は、交通信号機１の制御を行う。
【００５１】
また、処理装置４７は、交通信号機１の制御を行うための機能部として、信号制御部４８を備えている。これらの機能については後に説明する。
【００５２】
処理装置１８、処理装置２９、処理装置３６、及び処理装置４７は、その機能の一部又は全部が、ハードウェア回路によって構成されていてもよいし、その機能の一部又は全部が、コンピュータプログラムによって実現されていてもよい。その機能の一部又は全部がコンピュータプログラムによって実現される場合、処理装置１８、処理装置２９、処理装置３６、及び処理装置４７はコンピュータを含み、各機能を実現するためのコンピュータプログラムは図示しない記憶部に記憶される。
【００５３】
〔特定エリア及び受信可能エリアについて〕
図４は、図１中、交差点周辺の拡大図である。
図４に示すように、路側通信機２は、交通信号機１の支柱１ａに設けられている。また、交通信号制御機１０は、交差点Ｊｉの近傍に設置されている。
【００５４】
路側通信機２は、自機２が設置されている交差点の周囲に向けて路車間通信用の通信パケットを送信し、交差点の周囲に位置する車載通信機３に対して情報提供する等のサービスを行う。
【００５５】
また、路側通信機２は、上述したように、車車間通信による無線信号を傍受することができ、受信した車載通信機３の通信パケットに含まれる車両情報を取得する機能を有している。
本実施形態のシステムは、路側通信機２が取得する車載通信機３からの通信パケットに含まれる車両情報を利用して交通信号機１を制御する。
【００５６】
路側通信機２は、車載通信機３からの通信パケットを複数受信し、複数の通信パケットから取得した車両情報の中から、交通信号機１の制御に用いる車両情報を特定し、この特定した車両情報を制御用情報として中央装置４に与える。
中央装置４は、路側通信機２が特定した制御用情報に基づいて、交通信号機１の制御のために必要な情報を生成し、交通信号制御機１０に制御命令を与えることで、当該交通信号制御機１０の制御を行う。
【００５７】
ここで、路側通信機２は、複数の車両情報の中から制御用情報を特定するために、特定エリアを交差点Ｊｉから延びる各方路上（道路上）に設定する。
路側通信機２が受信する車載通信機３の通信パケットに含まれる車両情報には、上述の車両ＩＤ、位置情報、車速情報、及び方位情報が含まれている。
路側通信機２は、車両情報に含まれる位置情報を参照し、位置情報が特定エリア内である場合、当該車両情報を制御用情報として特定し、位置情報が特定エリア外である場合、制御用情報として特定しない。
【００５８】
路側通信機２は、位置情報が特定エリア内である車両情報を制御用情報として特定し、中央装置４に与える。
特定エリアは、その受信信頼度（後に詳述する）が交通信号機１の制御において必要な値に設定されている。
【００５９】
路側通信機２は、特定エリアを設定するために、車載通信機３が送信する車車間通信による無線信号を受信することができるエリア（受信可能エリア）を算出する。
路側通信機２は、車載通信機３からの通信パケットに車両情報として含まれる位置情報に基づいて、受信可能エリアを算出する。
路側通信機２は、受信可能エリアを、交差点Ｊｉの停止線の位置を基準としたときの上流側のエリア端までの距離（受信可能エリア端距離）として求める。
【００６０】
受信可能エリアのエリア端は、路側通信機２と車載通信機３との間に設置された建物等による伝送路環境や、装置の経年変化等によって影響を受ける。また、受信可能エリアのエリア端は、車載通信機３の個体差による送信出力差等からも影響を受ける。
よって、受信可能エリアのエリア端は、車載通信機３ごとに異なることがある。そこで、本実施形態の路側通信機２は、受信可能エリア（受信可能エリア端距離）を複数の車載通信機３ごとに複数算出する。
【００６１】
さらに路側通信機２は、特定エリアを設定するために、送信された通信パケットを車載通信機３が受信する確率を示す受信信頼度に対応して定まる信頼度エリア（後に説明する）を、複数の車載通信機３の受信可能エリア端距離に基づいて算出する。
【００６２】
以下の説明では、交差点Ｊｉから延びる各方路（道路）の内の一つのみについて説明するが、他の方路についても、同様の処理が行われる。
【００６３】
〔受信可能エリアの算出〕
受信可能エリア（受信可能エリア端距離）の算出は、路側通信機２の第１算出部２１（図３）によって実行される。第１算出部２１は、受信可能エリアの算出を随時行う。
第１算出部２１は、受信可能エリアを車載通信機３ごとに算出する。処理装置１８は、受信可能エリアの算出を終えた車載通信機３の車両ＩＤ及びその算出結果を登録するためのテーブル（受信可能エリアテーブル）を有している。
第１算出部２１は、受信可能エリアを算出するごとにこのテーブルに車両ＩＤ及び算出結果を登録する。
【００６４】
図５は、受信可能エリアの算出処理の一例を示すフローチャートである。
路側通信機２の第１算出部２１は、まず、車載通信機３からの通信パケットを受信し、自機２が車両情報を取得したか否かを判定する（ステップＳ２）
第１算出部２１は、自機２が車両情報を取得したと判定するまで、ステップＳ２の判定を繰り返す。
【００６５】
自機２が車両情報を取得したと判定すると、第１算出部２１は、取得した車両情報に含まれる車両ＩＤを参照し、受信可能エリアテーブルに、取得した車両情報の車両ＩＤが登録されているか否かを判定する（ステップＳ４）。
【００６６】
取得した車両情報の車両ＩＤが登録されていると判定すると、第１算出部２１は、ステップＳ２に戻る。これにより、同一の車載通信機３について重複して受信可能エリアを算出するのを防止している。
【００６７】
ステップＳ４において、取得した車両情報の車両ＩＤが登録されていないと判定すると、第１算出部２１は、所定期間の間、車載通信機３からの通信パケットの受信、及び車両情報の取得を行う（ステップＳ６）。なお、本実施形態の第１算出部２１は、所定期間として１秒間の間、車両情報の取得を行う。
【００６８】
次いで、第１算出部２１は、ステップＳ４において取得した車両情報の車両ＩＤと同じ車両ＩＤの車両情報（通信パケット）を、所定期間として１秒間の間に所定個として８個以上、受信し取得したか否かを判定する（ステップＳ８）。
【００６９】
第１算出部２１は、所定期間の間に同一の車両ＩＤの車両情報を所定個以上取得（受信）したか否かによって、その車両ＩＤの車載通信機３の受信可能エリアを算出する。
図６は、道路上の車載通信機３が送信する車両情報の受信状況の一例を示す図である。
【００７０】
図６中、上段は、交通信号機１及び路側通信機２が設置された交差点Ｊｉから延びる一方路である道路Ｒ１と、道路Ｒ１上を走行する車両５（車載通信機３）を示している。
図６中、下段は、上段の車載通信機３が路側通信機２及び交通信号機１に向かって進行する際に送信する車両情報の受信状況を示しており、連続して多数配置されている丸印は、車載通信機３が通信パケット（車両情報）を送信した道路Ｒ１上の位置を示している。図６の下段における紙面左右方向の位置は、上段の道路Ｒ１の紙面左右方向の位置に対応している。
また、丸印の内、黒塗りの丸印は、車両情報が路側通信機２に受信されたことを示し、白抜きの丸印は、車両情報が路側通信機２に受信されなかったことを示している。
【００７１】
まず、図６中、道路Ｒ１上を交通信号機１に向かって進行する車載通信機３Ａが送信する車両情報について説明する。
車載通信機３は、上述したように、原則１００ミリ秒ごとに通信パケットを送信する。よって、図６中の各丸印は、１００ミリ秒間隔で通信パケットを送信したときの位置が示されている。
【００７２】
車載通信機３Ａが路側通信機２に接近し、位置Ｐ１において通信パケットが路側通信機２に初めて受信されたとする。しかし、この位置においては、未だ路側通信機２までの距離が大きく、路側通信機２に確実に受信されるまでには至らず、通信パケットが受信されたり、されなかったりといったように不安定な受信状況となる。
位置Ｐ１の後、車載通信機３が路側通信機２に近づいたとしても不安定な受信状況が続くが、位置Ｐ２より連続的に路側通信機２に通信パケットが受信されるようになる。よって、位置Ｐ２から交差点Ｊｉまでのエリアにおいては、ほぼ確実に通信パケットが路側通信機２によって受信される。
本実施形態では、交差点から位置Ｐ２までのエリアのように、ほぼ確実に通信パケットが路側通信機２によって受信されるエリアを車載通信機３Ａの受信可能エリアとし、位置Ｐ２付近を受信可能エリアのエリア端とする。
【００７３】
また、図６中、車載通信機３Ｂについても同様であり、車載通信機３Ｂは、位置Ｐ３において通信パケットが路側通信機２に初めて受信され、位置Ｐ４より連続的に路側通信機２に通信パケットが受信されるようになったとする。
この場合、交差点から位置Ｐ３までのエリアのように、ほぼ確実に通信パケットが路側通信機２によって受信されるエリアを車載通信機３Ｂの受信可能エリアとし、位置Ｐ４付近を受信可能エリアのエリア端とする。
【００７４】
また、図６に示すように、車載通信機３Ａと車載通信機３Ｂとでは、受信可能エリアのエリア端の位置が異なっている。車載通信機３の間で送信出力等に差があるため、このように、異なる車載通信機３同士で受信可能エリアのエリア端の位置が異なっている。
【００７５】
車載通信機３は、上述したように、原則１００ミリ秒ごとに通信パケットを送信する。よって、車載通信機３は、所定期間である１秒間の間に、通信パケットを１０回送信する。
ここで、路側通信機２が１秒間の間に車載通信機３の通信パケットを１０個受信した場合、車載通信機３は、受信可能エリア内に位置していると判断することができる。また、路側通信機２が１秒間の間に車載通信機３の通信パケットを１０個よりも少ない個数しか受信できなかった場合、車載通信機３は、位置Ｐ１と位置Ｐ２の間に位置していると判断できる。
また、路側通信機２が１秒間の間に車載通信機３の通信パケットを受信する最大数である１０個により近ければ、車載通信機３は、位置Ｐ２付近に位置している可能性が相対的に高いと判断できる。
【００７６】
そこで、本実施形態の路側通信機２の第１算出部２１は、１秒間の間に８個以上の通信パケットを受信し取得すれば、車載通信機３が位置Ｐ２付近に位置していると判断し、そのときの車載通信機３の位置に基づいて受信可能エリアを算出する。
つまり、第１算出部２１は、所定期間の間に送信される通信パケットの最大数の８割以上を受信すれば、車載通信機３が位置Ｐ２付近に位置していると判断し、そのときの車載通信機３の位置に基づいて受信可能エリアを算出する。
【００７７】
図５に戻って、第１算出部２１は、ステップＳ８において、ステップＳ４にて取得した車両情報の車両ＩＤ（以下、対象車両ＩＤともいう）と同じ車両ＩＤの車両情報（通信パケット）を、１秒間の間に８個以上、受信し取得したか否かを判定する（ステップＳ８）。
対象車両ＩＤの通信パケットを、１秒間の間に８個以上、受信しなかったと判定すると、第１算出部２１は、ステップＳ２に戻る。この場合、第１算出部２１は、対象車両ＩＤの車載通信機３が未だ、受信可能エリアのエリア端に到達していないと判定し、再度ステップＳ２を実行する。
【００７８】
ステップＳ８において、対象車両ＩＤの通信パケットを、１秒間の間に８個以上、受信したと判定する場合、第１算出部２１は、ステップＳ１０に進み、脇道車両の判定を行う。
第１算出部２１は、ステップＳ１０による脇道車両の判定によって、対象車両ＩＤの車載通信機３が、交差点Ｊｉに向かって道路Ｒ１を走行しているのか、脇道Ｒ２を走行しているのか、また、道路Ｒ１に対して交差している脇道Ｒ２から道路Ｒ１に流入し交通信号機１に向かって走行しているのかを判定する。この判定方法については、後に説明する。
なお、脇道Ｒ２から流入し交通信号機１に向かって道路Ｒ１を走行する車載通信機３を搭載した車両や、脇道Ｒ２を走行する車載通信機３を搭載した車両を脇道車両という。
【００７９】
ステップＳ１０における脇道車両判定を行うと、第１算出部２１は、ステップＳ１２に進み、脇道車両判定の結果、対象車両ＩＤの車載通信機３が脇道車両と判定されたか否かを判定する（ステップＳ１２）。
【００８０】
脇道車両と判定されなかった場合、第１算出部２１は、ステップＳ１４に進み、所定期間としての１秒間の間に受信した対象車両ＩＤの車両情報の内、所定期間の中で最初に受信した車両情報に含まれる位置情報を参照し、この位置情報を受信可能エリアのエリア端として、受信可能エリア端距離を算出する。
第１算出部２１は、算出した受信可能エリア端距離を受信可能エリアテーブルに登録し（ステップＳ１４）、処理を終えてステップＳ２に戻る。
【００８１】
つまり、第１算出部２１は、対象車両ＩＤの通信パケットを１秒間の間に８個以上受信したときの当該１秒間の間における最初の通信パケットに含まれる位置情報を受信可能エリアのエリア端とし、この受信可能エリアのエリア端から交差点Ｊの停止線の位置までの距離を、受信可能エリア端距離として算出する。
【００８２】
図７は、受信可能エリアテーブルの一例を示す図である。
図７中、受信可能エリアテーブルは、対象車両ＩＤを登録するための領域と、算出した日時を示す日時情報を登録するための領域と、算出した受信可能エリア端距離を登録するための領域とを有している。
日時情報とは、第１算出部２１が受信可能エリア端距離を算出した日時を示す情報である。
【００８３】
受信可能エリアテーブルは、算出した受信可能エリア端距離を、算出に用いた車両情報の送信元である車載通信機３の車両ＩＤ、日時情報に対応付けて登録することができる。
第１算出部２１は、車載通信機３ごとに算出した受信可能エリア端距離をその車両ＩＤ及び日時情報とともに登録する。
【００８４】
以上のようにして、第１算出部２１は、受信可能エリア端距離を算出する。
【００８５】
図５に戻って、ステップＳ１２において、脇道車両判定の結果、対象車両ＩＤの車載通信機３が脇道車両と判定された場合、第１算出部２１は、ステップＳ１６に進み、対象車両ＩＤのみを受信可能エリアテーブルに登録し（ステップＳ１６）、処理を終えてステップＳ２に戻る。
【００８６】
脇道車両について求められる受信可能エリア端距離は、道路Ｒ１における受信可能エリア端距離ではない可能性がある。
図６中、道路Ｒ１に流入する脇道車両である車載通信機３Ｃは、脇道Ｒ２から流入するので、車載通信機３Ｃが送信する通信パケットに含まれる位置情報は、図６に示すように、脇道Ｒ２を走行しているときは、位置Ｐ１０から位置Ｐ１１に向かって現れ、道路Ｒ１上ではない位置情報となる。なお、図６下段における紙面上下方向は、図６上段の道路Ｒ１に交差する脇道Ｒ２が延びる方向に対応している。
このため、脇道Ｒ２から流入し交通信号機１に向かって道路Ｒ１を走行する車載通信機３や、脇道Ｒ２を走行する車載通信機３については、受信可能エリア端距離を算出しない。
【００８７】
図８は、図６中、脇道車両判定の処理の一例を示すフローチャートである。
脇道車両判定の処理に移行すると、第１算出部２１は、まず、対象車両ＩＤの車両情報に含まれる位置情報及び方位情報を取得する（ステップＳ２０）。
【００８８】
第１算出部２１は、所定期間内に受信した対象車両ＩＤに関する複数の車両情報それぞれについて位置情報及び方位情報を取得すると、ステップＳ２２に進み、各位置情報が示す位置を平均し、平均した平均位置が道路Ｒ１内であるか否かを判定する（ステップＳ２２）。
【００８９】
ステップＳ２２において、平均した位置が対象道路Ｒ１内であると判定した場合、第１算出部２１は、ステップＳ２４に進み、各方位情報が示す方位を平均し、平均した平均方位が前記平均位置からみて対象の交差点Ｊの方向を向いているか否かを判定する（ステップＳ２４）。
【００９０】
ステップＳ２４において、平均方位が対象の交差点Ｊｉの方向を向いていると判定した場合、第１算出部２１は、ステップＳ２６に進み、対象車両ＩＤの車載通信機３が脇道車両ではないと判定する（ステップＳ２６）。
【００９１】
一方、ステップＳ２２において、平均位置が対象道路Ｒ１内でないと判定した場合、及びステップＳ２４において、平均方位が対象の交差点Ｊｉの方向を向いていないと判定した場合、第１算出部２１は、ステップＳ２８に進み、対象車両ＩＤの車載通信機３が脇道車両であると判定する（ステップＳ２８）。
【００９２】
平均位置が対象道路Ｒ１内でない場合、対象車両ＩＤの車載通信機３は、現在又は過去に脇道Ｒ２を走行していると判断することができる。よって、この場合、対象車両ＩＤの車載通信機３は、脇道に位置する脇道車両であると判定することができる。
また、平均位置からみて平均方位が対象の交差点Ｊｉの方向を向いていない場合、たとえ平均位置が道路Ｒ１内にあったとしても、対象車両ＩＤの車載通信機３は、脇道から道路Ｒ１内に流入してきた脇道車両であると判定することができる。
【００９３】
第１算出部２１は、上記脇道車両判定の処理によって、対象車両ＩＤの車載通信機３が脇道車両であるのか、脇道車両ではなく道路Ｒ１を交通信号機１に向かって走行する車両であるのかを判定することができる。
【００９４】
〔信頼度エリアの算出〕
上述したように、路側通信機２は、特定エリアを設定するために、送信された通信パケットを車載通信機３が受信する確率を示す受信信頼度に対応して定まる信頼度エリアを、第１算出部２１が算出した複数の受信可能エリアのエリア端に基づいて算出する。
信頼度エリアの算出は、路側通信機２の第２算出部２２（図３）によって実行される。
第２算出部２２は、信頼度エリアの算出を、例えば一定の期間ごとに断続的に行う。
【００９５】
図９は、信頼度エリアの算出処理の一例を示すフローチャートである。
路側通信機２の第２算出部２２は、まず、受信可能エリアテーブルを参照し、過去所定期間（例えば、過去直近の１５分間）の間に算出された受信可能エリア端距離を取得する（ステップＳ３２）。
【００９６】
次いで、第２算出部２２は、５０メートル間隔で設定された階級に従って、受信可能エリア端距離についての累積度数分布を求める（ステップＳ３４）。
【００９７】
図１０は、受信可能エリア端距離についての累積度数分布の一例を示す図である。図１０に示す累積度数分布は、図７に示す受信可能エリアテーブルに登録されている全データ数である２０個分の受信可能エリア端距離に基づいて求めたものを一例として示している。
【００９８】
図１０中、横軸は受信可能エリア端距離（メートル）を、階級（５０メートル間隔）ごとに示している。縦軸は受信可能エリアテーブルにデータとして登録されている２０個の受信可能エリア端距離の累積度数分布を示している。
【００９９】
図１０において、例えば、「６００」と表示されている階級は、受信可能エリア端距離が６００メートルより大きく６５０メートル以下の区間を示している。この階級「６００」における累積度数は、「１」となっている。図７中の受信可能エリアテーブルには、受信可能エリア端距離が６００メートルより大きく６５０メートル以下の区間に対応するデータとして、車両ＩＤが「１７」の６１０メートル一つだけが存在しているからである。
【０１００】
同様に、階級「５５０」は、受信可能エリア端距離が５５０メートルより大きく６００メートル以下の区間を示している。階級「５５０」における累積度数は、「２」となっている。図７中の受信可能エリアテーブルには、受信可能エリア端距離が５５０メートルより大きく６００メートル以下の区間に対応するデータとして、車両ＩＤが「４」の６００メートル一つだけが存在しているからである。よって、階級「６００」の累積度数「１」を加算することで、階級「５５０」における累積度数は、「２」となっている。
【０１０１】
階級「５００」は、受信可能エリア端距離が５００メートルより大きく５５０メートル以下の区間を示しており、以下、各階級それぞれについても上記と同様に累積度数が求められている。
【０１０２】
図９に戻って、第２算出部２２は、ステップＳ３４において累積度数分布を求めると、ステップＳ３６に進み、この累積度数分布より、受信信頼度及びその受信信頼度に対応する信頼度エリアを算出する（ステップＳ３６）。
【０１０３】
第２算出部２２は、各階級ごとにその階級における全データ数に対する累積度数の割合を受信信頼度として求め、各受信信頼度に対応する階級によって定まるエリアを信頼度エリアとして求める。
【０１０４】
図１０を参照して、例えば、階級「０」から「２００」までは累積度数が「２０」となっている。よって、階級「０」から「２００」それぞれの全データ数２０個に対する累積度数の割合は１００％となる。
よってこの場合、第２算出部２２は、階級「２００」に対応するエリアの受信信頼度を１００％とし、このエリアを受信信頼度１００％の信頼度エリアとする。
【０１０５】
第２算出部２２は、信頼度エリアを、交差点Ｊｉの停止線の位置を基準としたときの上流側のエリア端までの距離（エリア端距離）として求める。
階級「２００」は、受信可能エリア端距離が２００より大きく２５０メートル以下の区間を示している。つまり、階級「２００」は、交差点Ｊｉの停止線の位置を基準としたときの上流側の受信可能エリア端の位置が２００より大きく２５０メートル以下であることを示している。
第２算出部２２は、階級「２００」が示す受信可能エリア端距離に基づいて、受信信頼度１００％の信頼度エリアのエリア端距離（信頼度エリア端距離）を２００メートルと算出する。
【０１０６】
また、階級「２５０」の累積度数は「１８」となっている。よって、階級「２５０」の全データ数２０個に対する累積度数の割合は９０％となる。
この場合、第２算出部２２は、階級「２５０」に対応するエリアの受信信頼度を９０％とし、このエリアを受信信頼度９０％の信頼度エリアとする。
第２算出部２２は、受信信頼度９０％の信頼度エリア端距離を階級「２５０」が示す受信可能エリア端距離に基づいて２５０メートルと算出する。
【０１０７】
同様に、階級「３００」の累積度数は「１５」であり、第２算出部２２は、階級「３００」に対応するエリアを受信信頼度７５％の信頼度エリア（エリア端距離３００メートル）とする。
また、階級「３５０」の累積度数は「１０」であり、第２算出部２２は、階級「３５０」に対応するエリアを受信信頼度５０％の信頼度エリア（エリア端距離３５０メートル）とする。
【０１０８】
なお、受信信頼度とは、上述のように、全データ数２０個に対する各階級における累積度数の割合であり、対象の階級に対応するエリア（信頼度エリア）内に位置する車載通信機３からの通信パケットが路側通信機２に受信される受信確率を示している。
【０１０９】
以上のように第２算出部２２は、各階級ごとに受信信頼度を求め、各受信信頼度に対応する階級によって定まるエリアを信頼度エリアとして求める。つまり、第２算出部２２は、互いに受信信頼度の異なる複数の信頼度エリアを求める。
【０１１０】
なお上記では、各階級ごとに受信信頼度を求め、各受信信頼度に対応する階級によって定まるエリアを信頼度エリアとして求めたが、隣接する階級それぞれの受信信頼度の中間値を求めてもよい。
図１０では、受信信頼度１００％の信頼度エリアの次に低い受信信頼度の信頼度エリアは受信信頼度が９０％であるが、例えば、受信信頼度９５％の信頼度エリアを補完的に求めてもよい。
【０１１１】
〔特定エリアの設定〕
エリア設定部２３（図３）は、第２算出部２２が算出した信頼度エリアに基づいて、特定エリアを設定する。
特定エリアは、複数の車両情報の中から交通信号機１の制御に用いる制御用情報を特定するために各方路上に設定されるエリアである。
【０１１２】
エリア設定部２３は、第２算出部２２が算出した複数の信頼度エリアの中から、交通信号機１の制御に必要な受信信頼度の信頼度エリアを選択する。
【０１１３】
本システムでは、交通信号機１の制御に関する処理として、道路Ｒ１の待ち行列長を求める処理と、交通信号機１の感応制御処理とを行う。
ここで、待ち行列長を求める処理においては、７５％の受信信頼度が必要であり、交通信号機１の感応制御処理においては、９５％以上の受信信頼度が必要であるとする。
【０１１４】
この場合、エリア設定部２３は、受信信頼度７５％の信頼度エリア（エリア端距離３００メートル）を選択し、選択した受信信頼度７５％の信頼度エリアを、受信信頼度７５％の特定エリアとして設定する。また、エリア設定部２３は、受信信頼度１００％の信頼度エリア（エリア端距離２００メートル）を選択し、選択した受信信頼度１００％の信頼度エリアを受信信頼度１００％の特定エリアとして設定する。
【０１１５】
以上のように、本実施形態の路側通信機２の処理装置１８は、交通信号機１に向かって進行する車載通信機３からの通信パケットを受信する無線通信部１６（受信部）の受信信号に含まれる車載通信機３の車両情報に基づいて、無線通信部１６が無線信号を受信可能な受信可能エリアを複数の車載通信機３ごとに複数算出する第１算出部２１と、無線信号が無線通信部１６に受信される確率を示す受信信頼度に対応して定まる信頼度エリアを、複数の受信可能エリアに基づいて算出する第２算出部２２と、交通信号機１の制御に用いる制御用情報を車両情報の中から特定するための特定エリアを、信頼度エリアに基づいて設定するエリア設定部２３と、を備えており、交通信号機１の制御に用いる制御用情報を特定するためのエリア設定装置を構成している。
【０１１６】
本実施形態の路側通信機２によれば、交通信号機１の制御に応じた受信信頼度とされた信頼度エリアに基づいて特定エリアを設定することができる。よって、複数の受信可能エリアにばらつきが生じたとしても、特定エリアによって、路側通信機２が受信した車両情報の中から、交通信号機１の制御に応じた一定の受信確率で受信され、制御用情報として適切に利用可能な車両情報を特定することができる。
さらに、エリア設定部２３が特定エリアの設定に用いる信頼度エリアは、交通信号機１の制御に必要な受信信頼度に対応している。これにより、特定エリアを、交通信号機１の制御用情報として適切に利用可能な車両情報を複数の車両情報の中から特定することができるエリアとして設定することができる。
【０１１７】
また、本実施形態の第２算出部２２は、複数の受信信頼度に対応する複数の信頼度エリアを算出し、エリア設定部２３は、複数の信頼度エリアの中から、交通信号機１の制御に必要な受信信頼度の信頼度エリアを選択するので、特定エリアの設定が容易となる。
【０１１８】
また、第１算出部２１、第２算出部２２、及びエリア設定部２３は、交差点Ｊｉの方路ごとに、受信可能エリアの算出、信頼度エリアの算出、及び特定エリアの設定を行うので、各方路それぞれに対して特定エリアを設定することができる。
【０１１９】
また、本実施形態では、第１算出部２１は、通信パケットが、車載通信機３が走行する道路Ｒ１に対して交差する脇道Ｒ２（交差リンク）から道路Ｒ１に流入し交通信号機１に向かって進行する脇道車両（流入車載通信機）からの通信パケットか否かを当該通信パケットの車両情報に基づいて判定し、この通信パケットが脇道車両からの通信パケットであると判定する場合、受信可能エリアテーブルに車両ＩＤのみを登録し、受信可能エリア端距離については算出を中止する。
この場合、交差リンクから流入する脇道車両については、特定エリアの設定に際して排除できる。
すなわち、脇道車両について受信可能エリア端距離を算出しないことにより、受信可能エリア端距離を精度よく算出することができ、特定エリアの設定に際して脇道車両を排除することで、より適切に特定エリアを設定することができる。
【０１２０】
〔制御用情報の特定〕
特定部２４（図３）は、エリア設定部２３が設定した特定エリアを用いて、受信した車載通信機３からの通信パケットに含まれる車両情報の中から、交通信号機１の制御に用いる制御用情報を特定する。特定部２４は、制御用情報の特定を随時行ってもよいし、行列長演算部４１及び感応制御処理部４２の要求に応じて行ってもよい。
【０１２１】
特定部２４は、路側通信機２が受信し取得した車両情報に含まれる位置情報を参照し、位置情報が特定エリア内である場合、当該車両情報を制御用情報として特定し、位置情報が特定エリア外である場合、制御用情報として特定しない。
【０１２２】
よって、特定部２４は、一定の受信信頼度で受信し取得された車両情報を制御用情報として特定することができる。
本実施形態の特定部２４は、受信信頼度７５％の特定エリア、及び受信信頼度１００％の特定エリアの両方について、制御用情報を特定する。
【０１２３】
特定部２４は、路側通信機２が随時取得する車載通信機３からの車両情報の中から制御用情報を特定し、特定した制御用情報を中央装置４に与える。
【０１２４】
〔交通信号機の制御について〕
本システムは、上述のように、交通信号機１の制御に関する処理として、道路Ｒ１の待ち行列長を求める処理と、交通信号機１の感応制御処理とを行う。
【０１２５】
路側通信機２の特定部２４は、車両情報の中から、交通信号機１の制御に用いる制御用情報を特定し、特定した制御用情報を通信回線７を通じて中央装置４（図３）に与える。
【０１２６】
中央装置４は、路側通信機２の特定部２４から与えられた制御用情報を、行列長演算部４１（図３）及び感応制御処理部４２（図３）に与える。
行列長演算部４１は、道路Ｒ１における交通信号機１による待ち行列長を求める処理を行う機能を有している。
行列長演算部４１は、受信信頼度７５％の特定エリアで特定された制御用情報を用いて待ち行列長を求める。
【０１２７】
感応制御処理部４２は、交通信号機１の上流側の交通量を算出し、算出した交通量に基づいて交通信号機１の感応制御処理を行う機能を有している。
感応制御処理部４２は、受信信頼度１００％の特定エリアで特定された制御用情報を用いて交通量の算出を行う。
【０１２８】
行列長演算部４１及び感応制御処理部４２は、交通信号機１の制御に必要な情報を生成するとともに、生成した情報から交通信号機１の制御命令を生成する。
行列長演算部４１及び感応制御処理部４２は、生成した制御命令を通信回線７を通じて、交通信号制御機１０に与える。
【０１２９】
交通信号制御機１０は、中央装置４の行列長演算部４１及び感応制御処理部４２から与えられた制御命令を、信号制御部４８に与える。
信号制御部４８は、交通信号機１の灯色を制御する機能を有している。信号制御部４８は、中央装置４の行列長演算部４１及び感応制御処理部４２から与えられた制御命令に基づいて、灯色制御を行う。
【０１３０】
図１１は、行列長演算部４１が行う待ち行列長を求める処理を説明するための図である。
図１１では、交通信号機１の停止線で信号待ちをしている複数の車載通信機３が存在している場合を示している。
【０１３１】
行列長演算部４１は、路側通信機２の特定部２４から与えられる制御用情報によって、、受信信頼度７５％の特定エリア内で信号待ちをしている車載通信機３の存在についてほぼ把握できる。
よって、交通信号機１による待ち行列長が受信信頼度７５％の特定エリア内に収まる場合、行列長演算部４１は、制御用情報に含まれる位置情報から待ち行列長を求めることができる。
【０１３２】
一方、交通信号機１による待ち行列長が特定エリア外にまで延びている場合、制御用情報に含まれる位置情報だけでは、待ち行列長を求めることができない。
そこで、行列長演算部４１は、交通信号機１の灯色が赤色から青色に変わった後、特定エリア内に進入する車載通信機３が、当該特定エリアに入ったときの時間を測定し、交通信号機１の灯色が赤色だったときに特定エリア外に延びていた待ち行列長を推定する機能を有している。
【０１３３】
行列長演算部４１は、交通信号機１の灯色が赤色から青色に変わったタイミングから、特定エリア外に位置する一台目の車載通信機３Ｄが特定エリア内に進入したタイミングまでの時間間隔ｔ（ｔ０）を求める。
さらに、行列長演算部４１は、車載通信機３Ｄが通過したタイミングから、車載通信機３Ｄの後方に並んでいた車載通信機３が特定エリア内に進入したタイミングまでの時間間隔ｔ（ｔ１）を求める。
【０１３４】
このように、行列長演算部４１は、交通信号機１の灯色が赤色から青色に変わった後、特定エリア内に順次進入する車載通信機３における、互いの特定エリア内に進入するタイミング間の時間間隔ｔを求める。行列長演算部４１は、経過時間ｔを、路側通信機２の特定部２４から与えられた制御用情報に基づいて求める。
【０１３５】
行列長演算部４１は、時間間隔ｔが、予め設定した閾値よりも大きいか否かを判定することで、特定エリア外の車載通信機３が交通信号機１の灯色が赤色だったときに待ち行列を構成していた車両であるか否かを判定する。
【０１３６】
行列長演算部４１は、時間間隔ｔが前記閾値よりも大きい場合、そのタイミングに対応する車載通信機３は交通信号機１の灯色が赤色だったときに待ち行列を構成していない車両と判定する。逆に、行列長演算部４１は、時間間隔ｔが前記閾値以下の場合、そのタイミングに対応する車載通信機３は交通信号機１の灯色が赤色だったときに待ち行列を構成していた車両と判定する。
【０１３７】
前記閾値は、車両が待ち行列を構成しているときに、交通信号機１の灯色が青色になることで発進した場合に、待ち行列を構成している各車両の時間間隔を測定しておき、この測定結果に基づいて設定される。
【０１３８】
図１１では、車載通信機３Ｄから車載通信機３Ｅまでが特定エリア外で待ち行列を構成しているとすると、車載通信機３Ｄから車載通信機３Ｅまでの各車載通信機３同士の時間間隔ｔ０からｔ５には、大きな差が現れない。
一方、車載通信機３Ｅと、特定エリア外で待ち行列を構成していなかった車載通信機３Ｆとの間の時間間隔ｔ６は、図１１に示すように、特定エリア外で待ち行列を構成していた車載通信機３同士の時間間隔ｔ０〜ｔ５と比較して大きくなる傾向がある。
【０１３９】
このため、行列長演算部４１は、上記閾値に基づいて、時間間隔ｔを判定することで、特定エリア外の車載通信機３が交通信号機１の灯色が赤色だったときに待ち行列を構成していた車両であるか否かを判定する。
【０１４０】
行列長演算部４１は、時間間隔ｔを判定することで、交通信号機１の灯色が赤色だったときに特定エリア外で待ち行列を構成していた車載通信機３の台数を特定することができる。
例えば、車両１台分で行列長が７メートルになると予め設定しておけば、行列長演算部４１は、交通信号機１の灯色が赤色だったときに特定エリア外で待ち行列を構成していた車載通信機３の台数を特定すれば、その台数分の行列長を推定することができる。
【０１４１】
以上のようにして行列長演算部４１は、交通信号機１の灯色が赤色だったときに特定エリア外に延びていた待ち行列長を推定しつつ、交通信号機１における全体の待ち行列長を求めることができる。
【０１４２】
図１２は、感応制御処理部４２が行う交通量の算出処理を説明するための図である。
感応制御処理部４２は、路側通信機２の特定部２４から与えられる制御用情報の全てを処理すれば、交通信号機１の上流における交通量を算出することができる。
【０１４３】
一方、図１２に示すように、特定エリア内に、仮想的な感応エリアＡを設け、この感応エリアＡを通過する車載通信機３をカウントすることで、交通信号機１の上流における交通量を算出することもできる。
この場合、感応制御処理部４２は、路側通信機２の特定部２４から与えられる制御用情報の全てを処理する必要がないので、その処理量を減らすことができる。
【０１４４】
なお、図１１及び図１２で示した交通信号機の制御では、交通信号機１に向かって進行する交通信号機１の上流側の車載通信機３に係る情報を用いる場合を示したが、本システムでは、交通信号機１の下流側を当該交通信号機１から離れる方向に進行する車載通信機３に係る情報を用いるような交通信号機の制御についても採用することができる。
本システムでは、各方路について特定エリアを求めるので、上流側の車載通信機３からの車両情報に加えて、交通信号機１の下流側を当該交通信号機１から離れる方向に進行する車載通信機３からの車両情報も制御用情報として取得することができるからである。
【０１４５】
〔他の実施形態について〕
図１３は、他の実施形態に係る路側通信機２、車載通信機３、中央装置４、及び交通信号制御機１０の構成を示すブロック図である。
図１３に示すシステムでは、中央装置４が、第１算出部２１、第２算出部２２、及びエリア設定部２３を備えている点において、上記実施形態と相違している。
図１３においては、中央装置４の処理装置３６が、第１算出部２１、第２算出部２２、及びエリア設定部２３を備えたエリア設定装置を構成している。
【０１４６】
この場合、路側通信機２は、取得した車載通信機３の車両情報を中央装置４に与える。
中央装置４は、路側通信機２から与えられた車両情報を用いて、受信可能エリア、及び信頼度エリアを算出し、特定エリアを設定する。
路側通信機２の特定部２４には、中央装置４から、エリア設定部２３が設定した特定エリアを示す情報が与えられる。
特定部２４は、特定エリアに基づいて特定した制御用情報を中央装置４の行列長演算部４１及び感応制御処理部４２に与える。
この構成によれば、交通信号機１や道路上に設置する必要がある路側通信機２の処理負荷を減らせることができる。
【０１４７】
〔その他〕
なお、上記実施形態では、第２算出部２２が複数の受信信頼度に対応する複数の信頼度エリアを算出し、エリア設定部２３が複数の信頼度エリアの中から、交通信号機１の制御に必要な受信信頼度の信頼度エリアを選択するように構成した場合を例示したが、第２算出部２２において、交通信号機１の制御に必要な受信信頼度の信頼度エリアのみを算出し、エリア設定部２３は、この信頼度エリアに基づいて特定エリアを設定してもよい。
この場合、第２算出部２２は、交通信号機１の制御に必要な受信信頼度の信頼度エリアのみを算出すればよく、処理負荷が軽減される。
【０１４８】
また、上記実施形態では、第１算出部２１が受信可能エリアの算出を随時行う場合を例示したが、例えば、一定の期間ごとに断続的に行ってもよいし、受信可能エリアの算出を実行する日時及び期間を予め設定しておき、その設定に従って行うように構成してもよい。
【０１４９】
また、上記実施形態では、ステップＳ６（図５）において、第１算出部２１が車載通信機３からの通信パケットの受信を行うための所定期間を１秒間に設定した場合を例示した。しかしこれに限定されることはなく、所定期間としては、車載通信機３からの通信パケットの受信状況が判定できる程度に当該通信パケット数を受信することができる程度の期間に設定することができる。つまり、車載通信機３による通信パケットの送信間隔に応じて適宜設定することができる。
【０１５０】
さらに、ステップＳ８（図５）において、車載通信機３が受信可能エリアのエリア端に達しているか否かを判定するために、第１算出部２１が上記所定期間（１秒間）の間に送信される通信パケットの最大数（１０個）に対して８割（８個）以上受信したか否かを判定するように構成した場合を例示したが、車載通信機３が受信可能エリアのエリア端に達しているか否かを判定することができれば、判定基準をより低い割合に設定してもよい。
また、より高い割合に設定する必要がある場合には、判定基準をより高い割合に設定してもよい。
【０１５１】
また、上記実施形態では、第２算出部２２が信頼度エリアの算出を一定の期間ごとに断続的に行う場合を例示したが、信頼度エリアの算出を随時行ってもよいし、信頼度エリアの算出を実行する日時及び期間を予め設定しておき、その設定に従って行うように構成してもよい。
【０１５２】
また、ステップＳ３２（図９）において、第２算出部２２が受信可能エリアテーブルを参照し、過去直近の１５分間の間に算出した受信可能エリア端距離を取得する場合を例示したが、必要に応じて１５分間よりもより長期間又はより短期間の間に算出された受信可能エリア端距離を取得してもよい。
さらに、第２算出部２２は、過去の日における現在と同じ時間帯及び同じ曜日に求められた受信可能エリア端距離を受信可能エリアテーブルから取得し、信頼度エリアを求めてもよい。道路の交通量は、時刻や曜日に依存するため、直近の情報だけでなく、過去の日における同じ時間帯及び同じ曜日に求められた受信可能エリア端距離を採用することができる。この場合、より多くのデータを用いて累積度数分布を求めることができる。
【０１５３】
また、上記実施形態では、エリア設定部２３が複数の信頼度エリアの中から、交通信号機１の制御に必要な受信信頼度の信頼度エリアを選択し、その信頼度エリアをそのまま特定エリアとして設定した場合を示したが、エリア設定部２３は、選択した信頼度エリア内の範囲で特定エリアを設定してもよい。
【０１５４】
また、上記実施形態では、交通信号機１及び路側通信機２に向かって進行する車載通信機３からの通信パケット（車両情報）の受信状況に基づいて、受信可能エリアを求め、さらに、信頼度エリア、及び特定エリアを求めた場合を例示したが、路側通信機２から離れる方向に走行する車載通信機３からの通信パケットの受信状況に基づいて、受信可能エリアを求め、信頼度エリア、及び特定エリアを求めてもよい。この場合も、第１算出部２１は、上記実施形態と同様の方法で、受信可能エリア端距離を求めることができる。さらに、求めた受信可能エリア端距離から、上記実施形態と同様の方法で、信頼度エリア及び特定エリアを求めることができる。
【０１５５】
図１４は、路側通信機を、交通信号機が設置された交差点から離れた位置に設置したときの一例を示す図である。上記実施形態では、路側通信機２を、交通信号制御機１の近傍に設置した場合を示したが、例えば、図１４に示すように、路側通信機２を、交通信号機１が設置された交差点Ｊｉから離れた位置に設置してもよい。図１４では、路側通信機２を交差点Ｊｉの一方路である道路Ｒ１沿いにおける交差点Ｊｉから離れた位置に設置した場合を示している。
この場合、道路Ｒ１における受信可能エリア端距離の方が、同じく交差点Ｊｉの一方路である道路Ｒ２における受信可能エリア端距離よりも長くなる場合があるが、上記実施形態にて示した方法によって、信頼度エリア及び特定エリアを求めることができる。
【０１５６】
また、上記実施形態では、路側通信機２、及び車載通信機３による路車間通信や、車車間通信を共存させるために時分割多重方式を採用した場合を示したが、これに限定されるものではなく、他の方式、例えば、周波数分割多重方式を採用することもできる。
【０１５７】
今回開示された実施の形態はすべての点で例示であって制限的なものではないと考えられるべきである。
本発明の範囲は、上記した意味ではなく、請求の範囲によって示され、請求の範囲と均等の意味、及び範囲内でのすべての変更が含まれることが意図される。
【符号の説明】
【０１５８】
１  交通信号機
１ａ  支柱
２  路側通信機
３，３Ａ，３Ｂ，３Ｃ，３Ｄ，３Ｅ，３Ｆ  車載通信機
４  中央装置
５  車両
６  路側センサ
７  通信回線
８  ルータ
１０  交通信号制御機
１２  タイムスロット
１５  アンテナ
１６  無線通信部
１７  有線通信部
１８  処理装置
２１  第１算出部
２２  第２算出部
２３  エリア設定部
２４  特定部
２７  アンテナ
２８  無線通信部
２９  処理装置
３０  送信部
３５  有線通信部
３６  処理装置
４１  行列長演算部
４２  感応制御処理部
４６  有線通信部
４７  処理装置
４８  信号制御部
Ｒ１  道路
Ｒ２  脇道
Ｊ１〜Ｊ１２  交差点
【図１】
2018078982.tif 000003
【図２】
2018078982.tif 000004
【図３】
2018078982.tif 000005
【図４】
2018078982.tif 000006
【図５】
2018078982.tif 000007
【図６】
2018078982.tif 000008
【図７】
2018078982.tif 000009
【図８】
2018078982.tif 000010
【図９】
2018078982.tif 000011
【図１０】
2018078982.tif 000012
【図１１】
2018078982.tif 000013
【図１２】
2018078982.tif 000014
【図１３】
2018078982.tif 000015
【図１４】
2018078982.tif 000016
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
道路を走行する車載通信機からの無線信号を受信する受信部と、
前記受信部によって受信される受信信号に含まれる前記車載通信機の車両情報に基づいて、前記受信部が前記無線信号を受信可能な受信可能エリアを複数の前記車載通信機ごとに複数算出する第１算出部と、
前記道路に設置された交通信号機の制御に用いる制御用情報を前記車両情報の中から特定するための特定エリアを、前記複数の受信可能エリアに基づいて設定するエリア設定部と、
を備えている
エリア設定装置。
【請求項２】
前記無線信号が前記受信部に受信される確率を示す受信信頼度に対応して定まる信頼度エリアを、前記複数の受信可能エリアに基づいて算出する第２算出部をさらに備え、
前記エリア設定部は、前記特定エリアを、前記信頼度エリアに基づいて設定する
請求項１に記載のエリア設定装置。
【請求項３】
前記信頼度エリアは、前記交通信号機の制御に必要な受信信頼度に対応している
請求項２に記載のエリア設定装置。
【請求項４】
前記第２算出部は、複数の前記受信信頼度に対応する複数の前記信頼度エリアを算出し、
前記エリア設定部は、複数の前記信頼度エリアの中から、前記交通信号機の制御に必要な受信信頼度の信頼度エリアを選択する
請求項３に記載のエリア設定装置。
【請求項５】
前記交通信号機は交差点に設置され、
前記第１算出部、前記第２算出部、及び前記エリア設定部は、前記交差点の方路ごとに、前記受信可能エリアの算出、前記信頼度エリアの算出、及び前記特定エリアの設定を行う
請求項２から請求項４のいずれか一項に記載のエリア設定装置。
【請求項６】
前記交通信号機は交差点に設置され、
前記第１算出部、及び前記エリア設定部は、前記交差点の方路ごとに、前記受信可能エリアの算出、及び前記特定エリアの設定を行う
請求項１に記載のエリア設定装置。
【請求項７】
前記制御用情報は、前記交通信号機における待ち行列長を求めるために用いられる請求項１から請求項６のいずれか一項に記載のエリア設定装置。
【請求項８】
前記制御用情報は、前記交通信号機の感応制御に用いられる請求項１から請求項６のいずれか一項に記載のエリア設定装置。
【請求項９】
前記第１算出部は、前記受信信号が、前記道路に対して交差する交差路から前記道路に流入した流入車載通信機からの受信信号か否かを前記受信信号の車両情報に基づいて判定し、
前記受信信号が前記流入車載通信機からの受信信号であると判定する場合、当該受信信号の前記受信可能エリアの算出を中止する請求項１から請求項８のいずれか一項に記載のエリア設定装置。
【請求項１０】
道路を走行する車載通信機からの無線信号を受信可能な路側通信機と、
前記路側通信機が前記無線信号を受信することで得られる受信信号に含まれる前記車載通信機の車両情報に基づいて、前記路側通信機が前記無線信号を受信可能な受信可能エリアを複数の前記車載通信機ごとに複数算出する第１算出部と、
前記道路に設置された交通信号機の制御に用いる制御用情報を前記車両情報の中から特定するための特定エリアを、前記複数の受信可能エリアに基づいて設定するエリア設定部と、
を備えている
エリア設定システム。
【請求項１１】
道路を走行する車載通信機からの無線信号を受信する受信部の受信信号に含まれる前記車載通信機の車両情報の中から、前記道路に設置された交通信号機の制御に用いる制御用情報を特定するための特定エリアを設定する方法であって、
前記車両情報に基づいて、前記受信部が前記無線信号を受信可能な受信可能エリアを複数の前記車載通信機ごとに複数算出する第１算出ステップと、
前記特定エリアを、前記複数の受信可能エリアに基づいて設定するエリア設定ステップと、
を含む、
エリア設定方法。
【請求項１２】
道路を走行する車載通信機からの無線信号を受信する受信部の受信信号に含まれる前記車載通信機の車両情報の中から、前記道路に設置された交通信号機の制御に用いる制御用情報を特定するための特定エリアを設定する処理をコンピュータに実行させるためのコンピュータプログラムであって、
コンピュータに、
前記車両情報に基づいて、前記受信部が前記無線信号を受信可能な受信可能エリアを複数の前記車載通信機ごとに複数算出する第１算出ステップと、
前記特定エリアを、前記複数の受信可能エリアに基づいて設定するエリア設定ステップと、
を実行させるためのコンピュータプログラム。
【国際調査報告】
2018078982.tif 000017
2018078982.tif 000018
2018078982.tif 000019
2018078982.tif 000020